(57)【要約】【課題】従来のプリント装置は顧客からの注文またはラボの状態をみてラボを変更することは考えられたが、顧客が同じでラボの機械が異なる場合に自動的にプリントを集結することは考えられていなかった。【解決手段】顧客注文端末により、プリント画像の注文内容を表す注文情報と前記画像のテーマ、イベント内容等を表すフォルダ識別情報をネットワークを介して受け取る注文受取端末と、前記フォルダ識別情報に基づいて、前記ラボサーバーの１つを前記プリント画像の出力先として選択し、前記ラボサーバーから出力されたプリント画像を前記フォルダ識別情報に基づいて集結する顧客プリント画像集結部とを備えたことをプリントシステムを提供する。【選択図】図１
2009211306.tif 000002
【特許請求の範囲】
【請求項１】
顧客注文端末により、プリント画像の注文内容を表す注文情報と前記画像のテーマ、イベント内容等を表すフォルダ識別情報を、ネットワークを介して受け取る注文受取端末と、前記フォルダ識別情報に基づいて、前記ラボサーバーの１つを前記プリント画像の出力先として選択し、前記選択されたラボサーバーに前記注文情報を転送する注文振り分け部と、前記ラボサーバーから出力されたプリント画像を前記フォルダ識別情報に基づいて集結する顧客プリント画像集結部とを備えたことをプリントシステム。
【発明の詳細な説明】
【技術分野】
【０００１】
本発明は、顧客からの注文をネットワークを利用し、ラボで画像データのプリントを行うプリントシステムに関するものである。
【背景技術】
【０００２】
ユーザーが撮影した写真画像を、自宅のパソコンからネットワークを利用してラボでプリントを依頼することは知られている。特許文献１で示すように、画像データのプリントを行うラボを、複数のラボの中から選択することは知られていた。例えば、ラボの混雑状況をみて混んでいるラボでなくてすいているラボを選択するとか、注文する顧客の住所から最寄りのラボを選択することは知られている。
【０００３】
また、特許文献１にはサービス内容（焼き増し、ポストカード作成等）を指定する処理番号、写真をしている画像番号、プリントサイズ、プリント枚数、プリント面質（艶あり、艶なし）、紙厚、写真の処理内容、トリミングに指定情報等、ユーザーの名前、住所、電話番号等ユーザーに関する情報に基づいてラボを選択することを示している。
【０００４】
【特許文献１】特開２００１−２９０６２７号公報
【発明の開示】
【発明が解決しようとする課題】
【０００５】
写真画像を写真コンテスト等で異なるプリンターでプリントすると写真の出来栄えも異なる可能性があり、正しい評価にならない危険性がある。また、旅行とか、サークル、祭りイベント写真では、プリントするプリンターの種類が異なると、同じイベントであるのに写真を並べた状態で見ると違和感が生じる場合がある。特許文献１では、写真をプリントするラボを選択する場合の理由は、サービス内容（焼き増し、ポストカード作成等）を指定する処理番号、写真をしている画像番号、プリントサイズ、プリント枚数、プリント面質（艶あり、艶なし）、紙厚、写真の処理内容、トリミングに指定情報等、ユーザーの名前、住所、電話番号等ユーザーに関する情報述べてあったが、同一イベント、同一テーマ毎にラボを選択するようなことは考えられていなかった。
【課題を解決するための手段】
【０００６】
上記目的を達成するために、請求項１は、顧客注文端末により、プリント画像の注文内容を表す注文情報と前記画像のテーマ、イベント内容等を表すフォルダ識別情報を、ネットワークを介して受け取る注文受取端末と、前記フォルダ識別情報に基づいて、前記ラボサーバーの１つを前記プリント画像の出力先として選択し、前記選択されたラボサーバーに前記注文情報を転送する注文振り分け部と、前記ラボサーバーから出力されたプリント画像を前記フォルダ識別情報に基づいて集結する顧客プリント画像集結部とを備えたことをプリントシステムを提供することにある。
【発明の効果】
【０００７】
上述したように本発明のプリントシステムは、種々のプリントを行う場合でも、同一テーマ、同一イベントのように一つのラボでプリントした方が写真のプリント状態も同一で処理できるので都合がよい。例えばコンテストのようにプリント写真で評価する場合にはラボが異なれば、プリントの状態が異なるので、適正な競争が出来なくなる可能性があるので同一ラボならそのような心配がなくよい。さらにコンテストの場合に、同一の出力先で集結し、コンテスト主催者に送付する場合でも一括して送ることができるので漏れがなく都合がよい。
【発明を実施するための最良の形態】
【０００８】
以下、本発明の実施の形態を図１〜図８に基づいて説明する。
【０００９】
図１は本発明のプリントシステムの第１の実施例を示すブロック図を示す。
１Ａ、１Ｂで示す顧客注文端末より画像を２で示すインターネットを介して３で示すラボ装置の４で示す注文受取端末に表１、表２で示すように画像情報に注文情報、写真のタイトル、イベント等を示すフォルダ識別情報を添えて送信する。５はラボ装置の動作を制御する制御部を示し、注文受取端末３は７で示す注文振り分け部に画像情報と注文情報とフォルダ識別情報を送信し、注文振り分け部６は７で示すラボサーバー部にある複数のラボサーバー７Ａ、７Ｂ、７Ｃの一つを前記フォルダ識別情報に基づいて選択するように制御部５より制御し、前記画像情報を振り分ける。振り分けられた画像情報はそれぞれラボサーバーの中のラボでプリントを行い、前記フォルダ識別情報毎に８で示すプリント画像集結部でプリント画像を集結する。
【００１０】
表１は顧客ＩＤ０００１の注文表を示す。テーマで運動会のテーマの写真をフォルダＡ、学芸会のテーマの写真をフォルダＢ、遠足のテーマの写真をフォルダＣとする。
表１        
2009211306.tif 000003
【００１１】
表２は顧客ＩＤ０００２の注文表を示す。上述と同じようにフォルダを指定する。
表２
2009211306.tif 000004
【００１２】
顧客ＩＤ０００１と顧客ＩＤ０００２の画像を各ラボサーバーに振り分けた状態を表３で示し、ラボサーバー７ＡはＬサイズ、ラボサーバー７Ｂはキャビネサイズ、ラボサーバー７Ｃは２Ｌサイズのプリントを行う。
表３
2009211306.tif 000005
表４
2009211306.tif 000006
表５
2009211306.tif 000007
【００１３】
図２は第１の実施例の制御部５の内容を示すフローチャートである。
Ｓ１でインターネットを介してフォルダの識別番号を示すフォルダＩＤと画像情報と注文情報を受け取り、Ｓ２でフォルダＩＤによりラボサーバーを決定する。Ｓ３でラボサーバーに画像情報と注文情報を送信し、Ｓ４で前記画像情報を出力し、Ｓ５でフォルダＩＤ毎にプリントを集結する。
【図面の簡単な説明】
【００１４】
【図１】本発明の実施形態を示す第１の実施例のブロック図
【図２】本発明の実施形態を示す第１の実施例を示すフローチャート
【符号の説明】
【００１５】
１        顧客注文端末
２        インターネット
３        ラボ装置
４        注文受取端末
５        制御部
６        フォルダＩＤ検出部
７        注文振り分け部
８        ラボサーバー部
９        プリント画像集結部
【図１】
2009211306.tif 000008
【図２】
2009211306.tif 000009